(57)【要約】【課題】利用者が自らの嗜好に合わせて位置を任意に決定し、遊技性または娯楽性を高める照明を行うことができる照明装置を備える自動写真作成装置を提供する。【解決手段】本自動写真作成装置は、閃光を放つフラッシュ部１１０と、閃光の投射方向と略同一方向へ光を投光する試しライト１２０と、フラッシュ部１１０から放たれるべき閃光の色を決定する選択部１３０と、撮像タイミングを決定するシャッタボタン１４０とを含む手持ちフラッシュ１００を備える。利用者は、選択部１３０を操作することにより、フラッシュ部１１０から放たれるべき閃光の色を決定するともに、試しライト１２０が投光する光により閃光が照らすべき場所を確認し、適宜のタイミングでシャッタボタン１４０を押下する。フラッシュ部１１０は、その直後または所定の時間が経過後に閃光を放ち、利用者を撮像する動作が行われる。【選択図】        図４
2004163699.tif 000002
【特許請求の範囲】
【請求項１】
所定の撮影領域における被写体を撮影する撮影手段と、当該撮影手段により得られる撮影画像または当該撮影画像を含む合成画像を写真として出力する出力装置とを備える自動写真作成装置であって、
前記被写体近傍の任意の位置へ移動可能であり、前記被写体を照明する照明手段を備えることを特徴とする自動写真作成装置。
【請求項２】
前記照明手段は、前記被写体である利用者が把持可能に構成されており、当該利用者が操作することにより撮像タイミングを決定するシャッタ手段を含むことを特徴とする、請求項１に記載の自動写真作成装置。
【請求項３】
前記照明手段は、
前記被写体へ向けて閃光を発するフラッシュ手段と、
前記フラッシュ手段が発する閃光の色を決定する色決定手段と
を含むことを特徴とする、請求項１または請求項２に記載の自動写真作成装置。
【請求項４】
前記フラッシュ手段は、閃光を発する複数の発光部を含み、
前記色決定手段は、相異なる色を決定するように、複数の前記発光部に対応して複数が設けられており、
前記照明手段は、前記発光部のいずれが前記閃光を発するかを前記被写体である利用者に選択させる選択手段をさらに含むことを特徴とする、請求項３に記載の自動写真作成装置。
【請求項５】
前記色決定手段は、前記閃光を透過させることにより前記閃光の色を決定する複数の色領域を含み、当該複数の色領域のうちから選ばれた１つの色領域を前記閃光に透過させることを特徴とする、請求項３に記載の自動写真作成装置。
【請求項６】
前記照明手段は、前記フラッシュ手段が発すべき閃光の投射方向と略同一方向に投光することにより、連続的に前記被写体を照明する投光手段をさらに含むことを特徴とする、請求項３から請求項５までのいずれか１項に記載の自動写真作成装置。
【請求項７】
所定の撮影領域における被写体を撮影する撮影ステップと、当該撮影ステップにおいて得られる撮影画像または当該撮影画像を含む合成画像を写真として出力する出力ステップとを含む自動写真作成方法であって、
前記被写体近傍の任意の位置へ移動可能である照明手段により前記被写体を照明する照明ステップを含むことを特徴とする自動写真作成方法。
【請求項８】
請求項７に記載の自動写真作成方法により写真として印刷されたことを特徴とする印刷媒体。
【発明の詳細な説明】
【０００１】
【発明の属する技術分野】
本発明は、照明された利用者をカメラで撮影し、その撮影画像を写真として出力する自動写真作成装置に関する。
【０００２】
【従来の技術】
従来より、利用者をカメラで撮影し、その撮影画像を写真として出力する遊技用写真作成装置が知られている。このような遊技用写真作成装置は、撮影画像と合成すべき画像（以下「付加画像」という）を、利用者の嗜好に応じて、予め用意された多種多様な背景画像および前景画像から選択したり、タッチペン等のペン型入力手段を用いて利用者が自由に描いたりできるように構成されるなど、遊技性または娯楽性を高める工夫がなされている。また、従来の遊技用写真作成装置は、撮影時に明るい閃光を発して利用者を照明するフラッシュや、常時点灯して利用者を照明する蛍光灯などの照明装置を備えており、適切な照明環境下で撮像するための工夫がなされている。
【０００３】
【発明が解決しようとする課題】
しかし、上記従来の遊技用写真作成装置が備える照明装置は、設置される位置が固定されており、利用者の嗜好に応じた任意の位置から照明を行うことができない。また、上記遊技用写真作成装置が備える照明装置は、撮像時における適切な照明環境を提供するために設けられており、遊技性または娯楽性を高める照明環境を提供することは本来予定されていない。
【０００４】
そこで本発明では、利用者が自らの嗜好に合わせて照明装置の位置を任意に決定することができ、また、遊技性または娯楽性を高める照明を行うことができる照明装置を備える自動写真作成装置を提供することを目的とする。
【０００５】
【課題を解決するための手段および発明の効果】
第１の発明は、所定の撮影領域における被写体を撮影する撮影手段と、当該撮影手段により得られる撮影画像または当該撮影画像を含む合成画像を写真として出力する出力装置とを備える自動写真作成装置であって、
前記被写体近傍の任意の位置へ移動可能であり、前記被写体を照明する照明手段を備えることを特徴とする。
【０００６】
このような第１の発明によれば、利用者が自らの嗜好に合わせて照明装置の位置を任意に決定することが可能な遊技用写真作成装置を提供することができる。
【０００７】
第２の発明は、第１の発明において、
前記照明手段は、前記被写体である利用者が把持可能に構成されており、当該利用者が操作することにより撮像タイミングを決定するシャッタ手段を含むことを特徴とする。
【０００８】
このような第２の発明によれば、例えば手で把持することができる照明手段にシャッタボタンが備えられるので、利用者は位置や姿勢を崩すことなく撮像動作を行うことができる。
【０００９】
第３の発明は、第１または第２の発明において、
前記照明手段は、
前記被写体へ向けて閃光を発するフラッシュ手段と、
前記フラッシュ手段が発する閃光の色を決定する色決定手段と
を含むことを特徴とする。
【００１０】
このような第３の発明によれば、色決定手段により、自らの嗜好に合わせて照明色を選択することができるので、遊技性または娯楽性を高める照明を行うことができる遊技用写真作成装置を提供することができる。
【００１１】
第４の発明は、第３の発明において、
前記フラッシュ手段は、閃光を発する複数の発光部を含み、
前記色決定手段は、相異なる色を決定するように、複数の前記発光部に対応して複数が設けられており、
前記照明手段は、前記発光部のいずれが前記閃光を発するかを前記被写体である利用者に選択させる選択手段をさらに含むことを特徴とする。
【００１２】
第５の発明は、第３の発明において、
前記色決定手段は、前記閃光を透過させることにより前記閃光の色を決定する複数の色領域を含み、当該複数の色領域のうちから選ばれた１つの色領域を前記閃光に透過させることを特徴とする。
【００１３】
第６の発明は、第３から第５までのいずれか１つの発明において、
前記照明手段は、前記フラッシュ手段が発すべき閃光の投射方向と略同一方向に投光することにより、連続的に前記被写体を照明する投光手段をさらに含むことを特徴とする。
【００１４】
このような第６の発明によれば、利用者は投光手段が投光する光によって照らされる場所を見ながら、フラッシュ手段による閃光がどの場所を照らすことになるかを予め確認することができる。
【００１５】
第７の発明は、所定の撮影領域における被写体を撮影する撮影ステップと、当該撮影ステップにおいて得られる撮影画像または当該撮影画像を含む合成画像を写真として出力する出力ステップとを含む自動写真作成方法であって、
前記被写体近傍の任意の位置へ移動可能である照明手段により前記被写体を照明する照明ステップを含むことを特徴とする。
【００１６】
第８の発明は、第７の発明に記載の自動写真作成方法により写真として印刷されたことを特徴とする印刷媒体である。
【００１７】
【発明の実施の形態】
以下、本発明の各実施形態につき添付図面を参照して説明する。
＜１．第１の実施形態＞
＜１．１  第１の実施形態に係る装置の全体構成＞
図１は本発明の第１の実施形態に係る遊技用写真作成装置を側面から見た概略図である。以下、図１を参照して、本実施形態に係る遊技用写真作成装置の全体構成について説明する。
【００１８】
この遊技用写真作成装置は、利用者Ｕが入る撮影室２と、利用者Ｕの撮影画像を含む合成画像を生成して写真として、例えば写真シールや写真カードとして出力する本体部４とを備えている。
【００１９】
撮影室２は、利用者Ｕを撮影するカメラ等を含む撮影装置１０と、撮影装置１０を上下移動可能かつ撮影方向可変に保持する保持機構と、利用者Ｕが把持して任意の位置から利用者Ｕを照らす手持ちフラッシュ１００とを備えている。撮影装置１０は、カメラと液晶ディスプレイパネル（以下「ＬＣＤ」と略記する）と予め定められた位置に配置された固定フラッシュとサークル蛍光灯とが円盤状のケースに収容されて一体化された構成となっており、手持ちフラッシュ１００の他、サークル蛍光灯および固定フラッシュからの光が利用者Ｕを照らし、カメラが利用者Ｕを撮影し、ＬＣＤに表示される撮影画像を利用者Ｕが見ることができる。このカメラは、撮影室２において床面Ｆ上に存在する利用者Ｕを撮影して撮影画像を表す画像信号を出力する。典型的には、ＣＣＤ（電荷結合素子）を利用してデジタル画像信号を生成するデジタルカメラが使用される。ＬＣＤは、上記画像信号の表す画像を表示するように構成されており、カメラによって得られる撮影画像を確認するために使用される。サークル蛍光灯は、カメラの撮影方向を照らす照明手段であって、本遊技用写真作成装置の動作中は常時点灯される。固定フラッシュは、シャッタボタンが押下されると、その直後または数秒程度の予め決められた時間の経過後にカメラの撮影方向に閃光を放つ。手持ちフラッシュ１００も、固定フラッシュと同時に閃光を放つ。手持ちフラッシュ１００の構成については後述する。そして、手持ちフラッシュ１００および固定フラッシュから閃光が放たれると、その閃光で照らされた利用者Ｕのカメラによる撮影画像を表す画像信号が本体部４内の制御装置に転送され、画像ファイルとして一時的に保存される。
【００２０】
本体部４は、コンピュータを中心に構成され各部の制御や画像処理を行う制御装置や、プリンタ、メインディスプレイ装置２２等を内蔵し、メインディスプレイ装置２２は、その画面が利用者Ｕに向き合うように配置されており、そのメインディスプレイ装置２２の両側には２つのライトペンが備え付けられている。利用者Ｕは、これらのライトペンを操作することによって、そのメインディスプレイ装置２２に表示される撮影画像に付加すべき画像を入力することができる。また、本体部４の前面すなわち利用者Ｕに向き合う面には、操作パネル２０も設けられており、この操作パネル２０は、写真シールとして出力すべき合成画像を構成する撮影画像を選択するための選択操作手段や、合成画像生成の際に撮影画像に付加される画像（付加画像）としての背景画像や前景画像を指定する指定手段などを含んでいる。また、手持ちフラッシュ１００が接続コード１０５によって本体部４に接続されている。さらに、本体部４は、その前面に照明装置（以下「前面照明装置」と称する）およびコイン投入口を備え、その側面に写真シールの取出口２８を備えている。
【００２１】
＜１．２  第１の実施形態に係る装置要部の機能的構成＞
図２は、本実施形態に係る遊技用写真作成装置の要部を機能面から見た構成を示すブロック図である。この遊技用写真作成装置の要部は、機能的には、カメラ５２と、確認表示部５４と、ビデオ分配部５６と、キャプチャ制御部５８と、画像処理部６０と、メイン表示部６２と、写真シール出力部６４と、コイン入力部６６と、操作部６８と、照明部７０と、Ｉ／Ｏ制御部７２と、ペン入力部７４と、ペン入力制御部７６と、メイン制御部８０とから構成される。
【００２２】
この構成において、カメラ５２と確認表示部５４は、撮影装置１０内のカメラとＬＣＤにそれぞれ相当する。ビデオ分配部５６は、本体部４内の制御装置に含まれるハードウェアによって実現され、シャッタボタンが押下されるまでの間にカメラ５２によって取り込まれる撮影方向の画像（「スルー画像」と呼ばれる）の信号を確認表示部５４とキャプチャ制御部５８とに分配する。これにより、スルー画像は、確認表示部５４に表示されると共に、キャプチャ制御部５８を通して画像処理部６０経由でメイン表示部６２にも表示される。キャプチャ制御部５８は、制御装置に含まれるハードウェアと制御装置内のコンピュータが実行するソフトウェアとによって実現され、キャプチャ処理を実行する。すなわち、利用者Ｕの撮影のためにシャッタボタンが押下されると、メイン制御部８０からの指示に基づき、利用者Ｕの撮影画像を表す信号としてカメラ５２から出力される画像信号を直接に（ビデオ分配部５６を介さずに）受け取り、画像処理部６０内に画像ファイルとして一時的に格納する。画像処理部６０は、制御装置に含まれるハードウェアと制御装置内のコンピュータが実行するソフトウェアとによって実現され、メイン制御部８０からの指示に基づき、その内部に格納された画像ファイルの表す撮影画像と、操作パネル２０によって指定される背景画像や前景画像および／またはライトペンによって手書きで入力された画像（以下「手書き画像」）とを合成することにより、合成画像を生成する。メイン表示部６２は、本体部４におけるメインディスプレイ装置に相当し、画像処理部６０によって生成される合成画像を表示する。写真シール出力部６４は、本体部４に内蔵されるプリンタに相当し、メイン制御部８０からの指示に基づき、画像処理部６０で生成された合成画像を写真シール（または写真カード）として出力する。
【００２３】
また、コイン入力部６６は、本体部４におけるコイン投入口と制御装置内のハードウェアとによって実現され、コイン投入口に投入されたコインを検出して、投入コインを示すコイン信号を出力する。操作部６８は、本体部４における操作パネル２０と後述する手持ちフラッシュ１００に含まれる各種操作部とに相当し、操作パネル２０または上記操作部が利用者Ｕによって操作されると、その操作内容を示す操作信号を出力する。照明部７０は、手持ちフラッシュ１００、固定フラッシュ、本体部４における前面照明装置、および撮影装置１０におけるサークル蛍光灯に相当し、メイン制御部８０からの指示に基づきＩ／Ｏ制御部７２によって調光および点灯／消灯が制御される。Ｉ／Ｏ制御部７２は、制御装置内のハードウェアによって実現され、メイン制御部８０からの指示に基づき、照明部７０を制御すると共に、コイン入力部６６からのコイン信号や操作部６８からの操作信号をメイン制御部８０へ転送する。ペン入力部７４は、本体部４における２つのライトペンに相当し、利用者Ｕによって操作されると、その操作内容を示すペン入力信号を出力する。ペン入力制御部７６は、制御装置に含まれるハードウェアと制御装置内のコンピュータが実行するソフトウェアとによって実現され、ライトペンからペン入力信号を受け取って、利用者Ｕの操作内容に基づく画像を表す信号を生成し、これを手書き画像信号としてメイン制御部８０に転送する。
【００２４】
メイン制御部８０は、制御装置内のコンピュータがソフトウェアを実行することによって実現され、上述のようにして入力されるコイン信号や操作信号に基づき各部を制御するために、上述のように各部に指示を出す。また、ペン入力制御部７６から手書き画像信号を受け取ると、これを、撮影画像と合成すべき付加画像の信号として画像処理部６０に転送する。また、制御装置内のコンピュータは、タイマー機能を備えており、メイン制御部８０は、このタイマー機能を利用して、シャッタスイッチが押下されてからキャプチャ処理が開始されるまでの時間や、キャプチャ処理を許容する時間、ライトペンによる手書き画像の入力を許容する時間を管理する。
【００２５】
＜１．３  第１の実施形態に係る手持ちフラッシュの具体的構成＞
図３は、第１の実施形態に係る手持ちフラッシュ１００の構成を示す外観正面図であり、図４は、当該手持ちフラッシュ１００の主要部を拡大した図であり、図５は、当該手持ちフラッシュの主要部における各構成要素の配置を示す概略図である。これらの図を参照して、以下、本実施形態に係る手持ちフラッシュ１００の構成について説明する。
【００２６】
手持ちフラッシュ１００は、閃光を放つ照明手段であるフラッシュ部１１０と、前記閃光の投射方向と略同一方向へ光を投光する投光手段である試しライト１２０と、フラッシュ部１１０から放たれるべき閃光の色を選択する選択部１３０と、撮像するタイミングを決定するシャッタボタン１４０とを備える。これらの構成要素は利用者に対面する位置に配置されるのが望ましいので、図３（ｂ）に示すように手持ちフラッシュ１００の裏側に配置される。なお、手持ちフラッシュ１００の表側は、利用者とともに撮像されるため、図３（ａ）に示すように娯楽性または遊技性を損なわないような形状となっている。また、利用者が把持する手持ちフラッシュ１００にシャッタボタン１４０が備えられる構成により、利用者の位置や姿勢を崩すことなく撮像が行われる。
【００２７】
以下、利用者の操作に基づく手持ちフラッシュ１００の動作について説明する。まず利用者は、選択部１３０を操作することにより、フラッシュ部１１０から放たれるべき閃光の色を選択する。例えば、選択部１３０はダイアル式のスイッチで構成されており、利用者はダイアルを回転させることにより、白色（無色）、桃色、橙色、および青色の４つの閃光色のいずれか、または手持ちフラッシュ１００の機能停止（ＯＦＦ）を選択することができる。またその際には、利用者は試しライト１２０が投光する光によって照らされる場所を見ながら、上記閃光がどの場所を照らすことになるかを確認する。なお、試しライト１２０はコイン投入後から撮影終了時まで点灯している。利用者は、手持ちフラッシュ１００を把持して所望の位置まで動かしてその位置を維持する。または、手持ちフラッシュ１００を任意の位置に保持する図示されない移動スタンドを設けて、当該移動スタンドが有する所定のホルダ部に手持ちフラッシュ１００を保持させてもよいし、撮影室２の壁などに上記ホルダ部を設けてこれに保持させてもよい。その後、利用者は適宜のタイミングでシャッタボタン１４０を押下する。フラッシュ部１１０は、その直後または数秒程度の予め決められた時間の経過後に閃光を放ち、上記撮像動作が行われる。
【００２８】
次に、手持ちフラッシュ１００の主要部における各構成要素の配置について説明する。図５を参照すると、図４に示すフラッシュ部１１０に対応するフラッシュ部２１０は、閃光を放つ複数の発光部２１１〜２１４を含んでおり、図４に示す試しライト１２０に対応する試しライト２２０の下方近傍に２列２段で配置されている。なお、図４にはフラッシュ部１１０の概略的な外観が示されているため、図５に示す４つの発光部２１１〜２１４は図４に示されていない。これらの発光部２１１〜２１４が閃光を放つべき方向には、これらの発光部２１１〜２１４に対応して、閃光の色を決定する手段として、白色（透明）フィルタ２６１、桃色フィルタ２６２、橙色フィルタ２６３、および青色フィルタ２６４が貼り付けられている。これらのフィルタ２６１〜２６４は、対応する発光部が放つ閃光が透過する際にフィルタの色以外の波長成分を減衰し、閃光の色をフィルタの色とほぼ同じにする。上記選択部１３０は、発光すべき発光部を発光部２１１〜２１４のうちから電気的に選択することにより、利用者を照らすべき閃光の色を決定する。
【００２９】
＜１．４  第１の実施形態の効果＞
以上の構成によれば、移動可能な照明手段としての手持ちフラッシュ１００により、利用者は自らの嗜好に合わせて照明装置の位置を任意に決定することができ、また、発光部２１１〜２１４に対応して設けられるフィルタにより、自らの嗜好に合わせて照明色を選択することができるので、遊技性または娯楽性を高める照明を行う遊技用写真作成装置を提供することができる。また、選択部１３０により閃光の色を電気的に選択する構成によって、機械的な作動部が生じない構成とすることができる。このことにより、手持ちフラッシュを小型にすることができ、また耐久性を高めることができる。さらに、手持ちフラッシュ１００にシャッタボタン１４０を備える構成により、利用者は位置や姿勢を崩すことなく撮像動作を行うことができる。また、試しライト１２０を備える構成により、利用者は試しライト１２０が投光する光によって照らされる場所を見ながら、上記閃光がどの場所を照らすことになるかを予め確認することができる。
【００３０】
＜２．第２の実施形態＞
次に、本発明の第２の実施形態に係る遊技用写真作成装置について説明する。本実施形態に係る遊技用写真作成装置は、上述した図１の遊技用写真作成装置とほぼ同様に構成され動作するので、同一の構成要素およびその動作については説明を省略する。本遊技用写真作成装置は、上述した図１の遊技用写真作成装置が備える手持ちフラッシュ１００に代えて、異なる構成の手持ちフラッシュを備えている点が異なる。以下、図６を参照して、この手持ちフラッシュの主要部の構成について説明する。
【００３１】
本手持ちフラッシュの主要部は、フラッシュ部３１０および試しライト３２０を含む照明ユニット３５０と、その前面に設けられて放たれるべき閃光の所定波長成分を透過する長方形状のフィルタ３６０とを含む。なお、手持ちフラッシュは、図示されない基材をさらに含み、上記構成要素はこの基材の所定の位置に固定されている。フィルタ３６０は、１列に配置された４つの色領域を有しており、これらの色領域は、白色（透明）領域３６１、桃色領域３６２、橙色領域３６３、および青色領域３６４からなる。これらの色領域は図示されるように鉛直方向に配列されている。フィルタ３６０は、上記基材に対して、鉛直方向へ摺動自在に取り付けられており、利用者の選択に応じて、各色領域がフラッシュ部３１０および試しライト３２０の前面を覆う位置にセットされる。図では、桃色領域３６２がセットされた状態が示されている。フィルタ３６０は、例えば色領域の配列方向に対して摺動可能なスライド式のスイッチまたはレバーと直接または機械的に接続されてこれと連動する。この構成により、照明ユニット３５０前面に所望の色領域をセットして、利用者を照らすべき閃光の色を決定する。
【００３２】
以上の構成によれば、上記第１の実施形態と同様に移動可能な手持ちフラッシュおよびフィルタ３６０により、利用者は自らの嗜好に合わせて照明装置の位置および照明色を決定することができるので、遊技性または娯楽性を高める照明を行うことができる。また、上記第１の実施形態とは異なり、フィルタ３６０を摺動させることにより閃光の色を機械的に選択する構成によって、手持ちフラッシュを簡易な構成で安価なものとすることができる。さらに、色領域の配列方向に摺動自在な長方形状のフィルタ３６０を備えるため、手持ちフラッシュの上記配列方向に対する垂直方向（図の左右方向）の幅を小さくすることができる。また、フィルタ３６０が試しライト３２０の前面も覆う構成により、試しライト３２０により投光される光の色が利用者を照らすべき閃光の色と同色となり、利用者は放たれるべき閃光の色を予め確認することができる。
【００３３】
＜３．第３の実施形態＞
次に、本発明の第３の実施形態に係る遊技用写真作成装置について説明する。本実施形態に係る遊技用写真作成装置は、上述した図１の遊技用写真作成装置とほぼ同様に構成され動作するので、同一の構成要素およびその動作については説明を省略する。本遊技用写真作成装置は、上述した図１の遊技用写真作成装置が備える手持ちフラッシュ１００に代えて、異なる構成の手持ちフラッシュを備えている点が異なる。以下、図７を参照して、この手持ちフラッシュの主要部の構成について説明する。
【００３４】
本手持ちフラッシュの主要部は、フラッシュ部４１０および試しライト４２０を含む照明ユニット４５０と、その前面に設けられて放たれるべき閃光の所定波長成分を透過する円形状のフィルタ４６０とを含む。なお、手持ちフラッシュは、図示されない基材をさらに含み、上記構成要素はこの基材により所定の位置に固定されている。フィルタ４６０は、扇状に４分割された４つの色領域を有しており、これらの色領域は、白色（透明）領域４６１、桃色領域４６２、橙色領域４６３、および青色領域４６４からなる。このフィルタ４６０は、中心点４６５を中心として上記基材に対して回転自在に取り付けられており、利用者の選択に応じて各色領域がフラッシュ部４１０および試しライト４２０の前面を覆う位置にセットされる。図では、青色領域４６４がセットされた状態が示されている。フィルタ４６０は、例えば中心点４６５に回転中心を合わせた回転可能な円盤に直接接続され、または歯車などで機械的に接続されてこれと連動する。この構成により、照明ユニット４５０前面に所望の色領域をセットして、利用者を照らすべき閃光の色を決定する。
【００３５】
以上の構成によれば、上記第２の実施形態と同様に移動可能な手持ちフラッシュおよびフィルタ３６０により、利用者は自らの嗜好に合わせて照明装置の位置および照明色を決定することができるので、遊技性または娯楽性を高める照明を行うことができる。また、フィルタ４６０を回転させることにより閃光の色を機械的に選択する構成によって、手持ちフラッシュを簡易な構成で安価なものとすることができる。さらに、フィルタ４６０が試しライト４２０の前面も覆う構成により、利用者は放たれるべき閃光の色を予め確認することができる。また、上記第２の実施形態とは異なり、回転自在な円形状のフィルタ３６０を備えるため、手持ちフラッシュの長さを短くすることができる。
【００３６】
＜４．第４の実施形態＞
次に、本発明の第４の実施形態に係る遊技用写真作成装置について説明する。本実施形態に係る遊技用写真作成装置は、上述した図１の遊技用写真作成装置とほぼ同様に構成され動作するので、同一の構成要素およびその動作については説明を省略する。本遊技用写真作成装置は、上述した図１の遊技用写真作成装置が備える手持ちフラッシュ１００に代えて、異なる構成の手持ちフラッシュを備えている点が異なる。以下、図８を参照して、この手持ちフラッシュの主要部における各構成要素の配置について説明する。
【００３７】
本手持ちフラッシュの主要部は、フラッシュ部５１０および試しライト５２０を含む照明ユニット５５０と、この照明ユニット５５０を内部に格納して放たれるべき閃光の所定波長を透過する円筒状のフィルタ５６０とを含む。なお、手持ちフラッシュは、図示されない基材をさらに含み、上記構成要素はこの基材により所定の位置に固定されている。フィルタ５６０は、閃光の投射方向に対して垂直な回転軸を有しており、その円筒外周側面を回転軸と平行に４分割した４つの色領域を有している。これら４つの色領域は、白色（透明）領域５６１、桃色領域５６２、橙色領域５６３、および青色領域５６４からなる。このフィルタ５６０は、上記回転軸を中心として回転するように上記基材に対して回転自在に取り付けられており、利用者による色の選択に応じて各色領域がフラッシュ部４１０および試しライト４２０の前面を覆う位置にセットされる。フィルタ５６０は、例えば回転可能な円盤にその回転軸と回転中心を合わせて直接に接続され、または歯車などで機械的に接続されてこれと連動する。この構成により、照明ユニット５５０前面に所望の色領域をセットして、利用者を照らすべき閃光の色を決定する。
【００３８】
以上の構成によれば、上記第３の実施形態と同様に移動可能な手持ちフラッシュおよびフィルタ３６０により、利用者は自らの嗜好に合わせて照明装置の位置および照明色を決定することができるので、遊技性または娯楽性を高める照明を行うことができる。また、フィルタ４６０を回転させることにより閃光の色を機械的に選択する構成によって、手持ちフラッシュを簡易な構成で安価なものとすることができる。さらに、フィルタ５６０が試しライト５２０の前面も覆う構成により、利用者は放たれるべき閃光の色を予め確認することができる。また、上記第３の実施形態とは異なり、回転自在な円筒形状のフィルタ５６０を備えるため、手持ちフラッシュを小型に構成することができる。
【００３９】
＜５．各実施形態の変形例＞
第１から第４までの各実施形態では、４色の閃光が選択可能であるように構成されるが、色の数には限定がない。また、光波長が選択的に透過するのではなく、光量のみを制限するフィルタを用いて、複数の明るさの閃光を選択可能であるように構成されてもよい。
【００４０】
第１の実施形態では、手持ちフラッシュ１００の外観が図３に示すように構成されるが、手に持ちやすい形状であればどのようなものであってもよい。また、複数の発光部２１１〜２１４は、図４に示すように２列２段で配置されるが、縦一列や横一列などどのように配置されてもよい。また、試しライト２２０は、投光する光がフィルタ２６１〜２６４のいずれかを透過するように、発光部２１１〜２１４に対応して複数設けられてもよい。
【００４１】
第２から第４までの各実施形態では、フィルタ３６０、４６０、または５６０は利用者により機械的に動かされるように構成されるが、これらのフィルタを駆動する図示されない電動モータや電磁石などの電気的な駆動部を新たに設けて、この駆動部へ電気的に指示を与えることにより、これらのフィルタを摺動または回転させるように構成されてもよい。
【００４２】
第３および第４の実施形態では、フィルタ４６０または５６０が例えば回転可能な円盤と連動するように構成したが、この円盤は省略されてもよい。例えば、フィルタ４６０の円周部付近が部分的に手持ちフラッシュの外側へ露出しており、この露出した部分を利用者が指などで円周方向へ回転させるように構成されてもよい。同様に、フィルタ５６０の円筒外周側面部付近が部分的に手持ちフラッシュの外側へ露出しており、この露出した部分を利用者が指などで円周方向へ回転させるように構成されてもよい。
【００４３】
第２の実施形態では、フィルタ３６０は鉛直方向へ摺動自在に構成されるが、水平方向へ摺動自在に構成されてもよい。同様に、第４の実施形態では、フィルタ５６０は回転軸が水平方向に設定されて回転自在に構成されるが、回転軸が鉛直方向に設定されて回転自在に構成されてもよい。また、第４の実施形態では、フィルタ５６０は外周側面の一部が欠けた円筒の一部として構成されてもよい。
【図面の簡単な説明】
【図１】本発明の第１の実施形態に係る遊技用写真作成装置を側面から見た概略図である。
【図２】第１の実施形態に係る遊技用写真作成装置の機能ブロック図である。
【図３】第１の実施形態に係る手持ちフラッシュの構成を示す外観図である。
【図４】第１の実施形態に係る手持ちフラッシュの主要部を拡大した図である。
【図５】第１の実施形態に係る手持ちフラッシュの主要部の配置を示す概略図である。
【図６】第２の実施形態に係る手持ちフラッシュの主要部の配置を示す概略図である。
【図７】第３の実施形態に係る手持ちフラッシュの主要部の配置を示す概略図である。
【図８】第４の実施形態に係る手持ちフラッシュの主要部の配置を示す概略図である。
【符号の説明】
２      …撮影室
４      …本体部
１０    …撮影装置
１００  …フラッシュ
１０５  …接続コード
１１０，２１０，３１０，４１０，５１０  …フラッシュ部
１２０，２２０，３２０，４２０，５２０  …試しライト
１３０  …選択部
１４０  …シャッタボタン
２１１〜２１４  …発光部
２６１〜２６４、３６０，４６０，５６０  …フィルタ
３５０，４５０，５５０  …照明ユニット
Ｕ    …利用者
Ｆ    …床面
【図１】
2004163699.tif 000003
【図２】
2004163699.tif 000004
【図３】
2004163699.tif 000005
【図４】
2004163699.tif 000006
【図５】
2004163699.tif 000007
【図６】
2004163699.tif 000008
【図７】
2004163699.tif 000009
【図８】
2004163699.tif 000010